(57)【要約】【課題】  目隠し板を取り除いた後に支持片の切り残しが開口部に臨まないようにして、開口部から引き出す部材の表面の傷付けを防止する。【解決手段】  プラスチックによって形成された筺体の一部に設けた開口部８を塞ぐ目隠し板１０は、筺体に一体かつ一連に形成された６個の支持片１１によって筺体に支持されている。支持片１１の一方の脚部１３は開口部８の周縁から一体に立設され、他方の脚部１４は目隠し板１０の周縁から一体に立設され、脚部１３，１４は連結部１５によって連結されている。そして、支持片１１の一方の脚部１３の平面視における幅が他の部分の幅よりも細く形成されている。【選択図】  図２
2006216592.tif 000002
【特許請求の範囲】
【請求項１】
プラスチックによって形成された筺体と、この筺体の一部に設けた開口部と、この開口部の内周面から隙間を隔ててこの開口部内に位置付けられる目隠し板と、この目隠し板と前記筺体とを連結し目隠し板を筺体に支持する切断可能な支持片とからなり、これら支持片および目隠し板を前記筺体と一体に一連に形成した電子機器筺体における目隠し板の支持構造において、前記支持片の一端を前記開口部の周縁から一体に立設させるとともに、他端を前記目隠し板の周縁から一体に立設させて、この支持片を前記筺体の表面から突設させ、前記支持片の一端側の平面視における幅を他の部位の幅よりも小さく形成したことを特徴とする電子機器筺体における目隠し板の支持構造。
【請求項２】
請求項１記載の電子機器筺体における目隠し板の支持構造において、前記支持片を、前記目隠し板と開口部のそれぞれの周縁から一体に立設され互いに対向する一対の脚部と、これら脚部間を連結する連結部とによって側面視でコ字状に一連に形成し、前記連結部の裏面に切断工具の刃の上面と係合し刃の刃部を前記筺体の表面に押し付ける係合部を設けたことを特徴とする電子機器筺体における目隠し板の支持構造。
【請求項３】
請求項１記載の電子機器筺体における目隠し板の支持構造において、前記支持片の少なくとも一端側の断面を円形としたことを特徴とする電子機器筺体における目隠し板の支持構造。
【発明の詳細な説明】
【技術分野】
【０００１】
本発明は、筺体の一部に設けた開口部を目隠し板で塞ぎ、筺体内部からケーブル等を引き出す必要が生じたときに、目隠し板を筺体から取り除いて開口部を開放することができる電子機器筺体における目隠し板の支持構造に関するものである。
【背景技術】
【０００２】
例えば、筺体内部から選択的にケーブルを引き出したり、オプション機能を取り付けたりする必要がある電子機器筺体においては、予め筺体の一部に開口部を設けておき、通常この開口部を目隠し板によって塞ぐ構造とし、必要に応じてニッパ等によって目隠し板を支持している支持片を切断して目隠し板を取り除き、開放した開口部からケーブルを引き出したり、開口部からオプション基板を筺体内に差し込むようにしている。
【０００３】
従来は、筺体の一部に設けた開口部を格子状に配列した複数枚の切取片によって塞いでおき、これら切取片間を薄肉状に形成した連結部によって連結し、必要に応じて連結部を切断することにより、選択的に切取片を除去している（例えば、特許文献１参照）。また、筺体の一部に設けた開口部を目隠し板によって塞いでおき、この目隠し板の周縁と開口部の周縁とを断面がＵ字状に形成した連結部によって連結し、必要に応じてニッパによって連結部を切断することにより目隠し板を取り除くものもある（例えば、特許文献２参照）。なお、本出願人は、本明細書に記載した先行技術文献情報で特定される先行技術文献以外には、本発明に密接に関連する先行技術文献を出願時までに見付け出すことはできなかった。
【特許文献１】特開平１１−２３８９７６号公報（段落「００１０」〜「００１２」、図１および図５）
【特許文献２】特開平１１−１８６７５２号公報（段落「０００９」および「００１０」、図２）
【発明の開示】
【発明が解決しようとする課題】
【０００４】
上述した従来の電子機器筺体における目隠し板の支持構造のうち、前者の構造においては、連結部が切取片の面方向に突設された構造であるため、切断した後の連結部の切り残しが開口部に臨むことになり、この切り残しによって開口部から引き出したケーブルの被覆に傷が付くという問題があった。また、後者の構造においては、連結部を切断する部位が開口部の周縁から立設された根本部分であれば、連結部の切り残しは開口部に臨むようなことがないが、実際には作業者が無造作に他の箇所、特にＵ字状の連結部の最も突出した部位を切断してしまうことが多く、この場合には切り残しが開口部に臨むことになり、前者の場合と同様な問題が生じていた。
【０００５】
本発明は上記した従来の問題に鑑みなされたものであり、その目的とするところは、目隠し板を取り除いた後に支持片の切り残しが開口部に臨まないようにして、開口部から引き出す部材の表面に傷が付くのを防止することにある。
【課題を解決するための手段】
【０００６】
この目的を達成するために、請求項１に係る発明は、プラスチックによって形成された筺体と、この筺体の一部に設けた開口部と、この開口部の内周面から隙間を隔ててこの開口部内に位置付けられる目隠し板と、この目隠し板と前記筺体とを連結し目隠し板を筺体に支持する切断可能な支持片とからなり、これら支持片および目隠し板を前記筺体と一体に一連に形成した電子機器筺体における目隠し板の支持構造において、前記支持片の一端を前記開口部の周縁から一体に立設させるとともに、他端を前記目隠し板の周縁から一体に立設させて、この支持片を前記筺体の表面から突設させ、前記支持片の一端側の平面視における幅を他の部位の幅よりも小さく形成したものである。
【０００７】
請求項２に係る発明は、請求項１に係る発明において、前記支持片を、前記目隠し板と開口部のそれぞれの周縁から一体に立設され互いに対向する一対の脚部と、これら脚部間を連結する連結部とによって側面視でコ字状に一連に形成し、前記連結部の裏面に切断工具の刃の上面と係合し刃の刃部を前記筺体の表面に押し付ける係合部を設けたものである。
【０００８】
請求項３に係る発明は、請求項１に係る発明において、前記支持片の少なくとも一端側の断面を円形としたものである。
【発明の効果】
【０００９】
請求項１に係る発明によれば、支持片に平面視における幅が細い部分を設けたことにより、この細い部分が切断の目印になるとともに、作業者は経験上または本能的に切断しやすい細い部分を切断するため、支持片を構成する部分のうち開口部の周縁から一体に立設させた一端側が切断される。したがって、切断後に開口部の周縁の表面上に仮に支持片の切り残しが発生したとしても、この切り残しが開口部に臨むようなことがないから、開口部から引き出す部材の表面を傷付けるようなことがない。
【００１０】
請求項２に係る発明によれば、切断作業をするために、切断工具の刃を連結部の裏面側に差し入れた際に、切断工具の刃の上面を連結部の係合部に係合させることにより、刃の刃部が開口部の周縁の表面に押し当てられるため、筺体の表面に支持片の切り残しがほとんど発生しない。
【発明を実施するための最良の形態】
【００１１】
以下、本発明の実施の形態を図に基づいて説明する。図１は本発明に係る電子機器筺体を底面側から見た斜視図、図２は同じく要部の斜視図、図３は同じく要部の平面図、図４は図３におけるIV-IV 線断面図である。図１に全体を符号１で示す電子機器筺体は、共にプラスチックによって一面が開口する箱状に形成されたアッパーケース２とロアーケース３とによって概略構成され、これら両ケース２，３の開口端を突き合わせ合体させることにより略密閉した筺体が形成される。
【００１２】
ロアーケース３の底部４の一方の端部には一対の壁掛け用ボス５，５が一体に立設され、底部４の他方の端部には、平面視略長方形に形成された凸部６が一体に設けられており、底部４の周囲には、選択的に折り曲げが可能で折り曲げることにより除去可能な複数の小壁７が一列に一体に立設されている。凸部６の一部には、図２に示すように平面視長方形に形成された開口部８が設けられている。１０は開口部８を塞ぐ略長方形に形成された目隠し板であって、この目隠し板１０は、開口部８の周縁全体から等間隔の平面視枠状に形成された隙間１２を隔てて、開口部８内に位置付けられるように６個の支持片１１を介して凸部６に一体に形成されている。
【００１３】
すなわち、この支持片１１は、図４に示すように、開口部８と目隠し板１０とのそれぞれの周縁から一体に立設され互いに対向する一対の脚部１３，１４と、これら脚部１３，１４間を連結する連結部１５とによって側面視でコ字状に一体に形成されており、これら支持片１１と目隠し板１０とが凸部６に一体に形成され、この支持片１１が凸部６の表面から突設している。この支持片１１を構成する一対の脚部１３，１４および連結部１５のそれぞれの断面は矩形に形成されている。このうち、一方の脚部１３は、内側面１３ａが開口部８の端面８ａと同じ面位置となるように、開口部８の周縁としての端縁８ｂに一体に立設されており、平面視における幅Ｂ１が支持片１１の他の部分、すなわち他方の脚部１４および連結部１５のそれぞれの幅Ｂ２よりも小さく形成されている。
【００１４】
この幅Ｂ１に形成された部分は一方の脚部１３の下端から上端までの全体に設けられており、平面視において脚部１３が他の部分より細く見えるように形成されている。他方の脚部１４は、目隠し板１０の端面１０ａに設けた凹部１６の端面１６ａに内側面１４ａが面位置を同じとするように、目隠し板１０の周縁としての凹部１６の端縁１６ｂに一体に立設されている。このように、目隠し板１０の端面１０ａに凹部１６を設け、他方の脚部１４をこの凹部１６の端縁１６ｂから立設するようにしたことにより、他方の脚部１４が一方の脚部１３から距離Ｌだけ余計に離間している。
【００１５】
１７は開閉自在な２枚の刃１８，１８を備えた切断工具としてのニッパであって、図４に示すように側面視において刃１８の刃部１８ａと上面１８ｂとのなす角度αが鋭角に形成されている。上記した支持片１１の連結部１５の裏面であって一方の脚部１３側の端部１５ａは、支持片１１の一方の脚部１３を切断するために、ニッパ１７の刃１８を連結部１５の裏面側に差し入れた際に、ニッパ１７の刃１８の上面１８ｂに係合し、刃１８の刃部１８ａを開口部８の端縁８ｂの表面に押し当てる係合部を形成している。
【００１６】
次に、このように構成された電子機器筺体における目隠し板の支持構造において、目隠し板１０を取り除き、２台の電子機器筺体１，１間を電気的に接続する作業について説明する。先ず、図１に示すように、電子機器筺体１の底部４が上方を指向するように電子機器筺体１を裏返しにして、ニッパ２０によって６個の支持片１１を切断する作業を行う。このとき、一方の脚部１３の平面視における幅Ｂ１が、支持片１１の他の部分、すなわち他方の脚部１４および連結部１５のそれぞれの幅Ｂ２よりも小さく形成されており、この幅Ｂ１に形成された部分が一方の脚部１３の下端から上端までの全体に設けられているため、作業者にとって脚部１３が他の部分より細く見える。
【００１７】
このため、この細い部分が切断の目印になるとともに、一般に作業者は経験上または本能的に切断しやすい細い部分を切断するため、支持片１１を構成する部分のうち開口部８の端縁８ｂから一体に立設させた一方の脚部１３が切断される。したがって、切断後に開口部８の端縁８ｂの表面上に支持片１１の切り残しが発生したとしても、この切り残しが開口部８に臨むようなことがないから、開口部８から引き出す部材の表面を傷付けるようなことはない。
【００１８】
この場合、切断作業をするために、ニッパ１７の刃１８を連結部１５の裏面側に差し入れた際に、ニッパ１７の刃１８の上面１８ｂを連結部１５の係合部１５ａに係合させることにより、図４に示すように刃１８の刃部１８ａが開口部８の端縁８ｂの表面に押し当てられる。したがって、この状態、すなわち刃１８の刃部１８ａが一方の脚部１３の下端に位置している状態で、ニッパ１７の刃１８，１８で一方の脚部１３を切断することにより、開口部８の端縁８ｂの表面上に支持片１１の切り残しがほとんど発生することもない。
【００１９】
また、他方の脚部１４が一方の脚部１３から距離Ｌだけ余計に離間していることにより、一方の脚部１３をニッパ２０で切断するとき、誤って他方の脚部１４を一方の脚部１３といっしょに切断するようなことがないから、切断作業を短時間で行うことができる。
【００２０】
このようにして目隠し板１０を取り除いた２台の電子機器筺体１，１の一方の開口部８から図示を省略したケーブルを引き出す。次いで、２台の電子機器筺体１，１の複数の小壁７のうち１枚ずつを選択的に除去し切欠きを設け、この切欠き内を通したケーブルの他端を他方の電子機器筺体１の開口部８から筺体内に導入し、筺体内の接続部に電気的に接続し、両電子機器筺体１，１を互いに電気的に接続する。この状態で、底部４が壁側を指向するように２台の電子機器筺体１，１を２台並べて壁に掛けて使用可能な状態とする。
【００２１】
前記本実施の形態においては、支持片１１を側面視でコ字状に形成したが、Ｕ字状に形成してもよく、要は支持片１１が開口部８と目隠し板１０のそれぞれの周縁から一体に立設した脚部１３，１４を備え、一方の脚部１３の平面視における幅が他の部分よりも細く形成されていればよい。また、支持片１１を構成する一対の脚部１３，１４と連結部１５とのそれぞれの断面を矩形に形成したが断面円形の棒状に形成してもよく、その場合には、少なくとも一方の脚部１３のみの断面を円形とし、他方の脚部１４と連結部１５とのそれぞれの断面を矩形に形成してもよい。要は一方の脚部１３の径の太さを他方の脚部１４および連結部１５の幅よりも小さいか他方の脚部１４および連結部１５の径よりも細く形成すればよい。また、ケーブルのみを引き出すのであれば、開口部８を平面視長方形に形成することなく円形に形成したものでもよい。
【図面の簡単な説明】
【００２２】
【図１】本発明に係る電子機器筺体を底面側から見た斜視図である。
【図２】本発明に係る電子機器筺体における要部の斜視図である。
【図３】本発明に係る電子機器筺体における要部の平面図である。
【図４】図３におけるIV-IV 線断面図である。
【符号の説明】
【００２３】
１…電子機器筺体、２…アッパーケース、３…ロアーケース、４…底部、８…開口部、１０…目隠し板、１１…支持片、１２…隙間、１３…一方の脚部、１３ａ…内側面、１４…他方の脚部、１４ａ…内側面、１５…連結部、１５ａ…係合部、１７…ニッパ（切断工具）、１８…刃。
【図１】
2006216592.tif 000003
【図２】
2006216592.tif 000004
【図３】
2006216592.tif 000005
【図４】
2006216592.tif 000006